(57)【要約】【課題】  全チャンネル数分のアンプを設ける必要なく、サラウンド後方左音声信号、左外側音声信号、左上側音声信号の中から選択される１つ又は２つの音声信号を増幅し、これらのチャンネルに対応するスピーカー端子から出力する。【解決手段】  サラウンド後方左音声信号が含まれている場合、スイッチＳ１３ａをオンにし、アンプ１２ａによって増幅されたサラウンド後方左音声信号をＳＰ端子１４ａに供給させる。左外側音声信号が含まれている場合、スイッチ１３ｂをオンにし、アンプ１２ａによって増幅された左外側音声信号をＳＰ端子１４ｂに供給させ、又は、スイッチ１３ｃをオンにし、アンプ１２ｂによって増幅された左外側音声信号をＳＰ端子１４ｂに供給させる。左上側音声信号が含まれている合、スイッチ１３ｄをオンにし、アンプ１２ｂによって増幅された左上側音声信号をＳＰ端子１４ｃに供給させる。【選択図】図４
2011229113.tif 000002
【特許請求の範囲】
【請求項１】
第１拡張左音声信号（又は第１拡張右音声信号）、又は、第２拡張左音声信号（又は第２拡張右音声信号）を増幅する第１増幅部と、
第２拡張左音声信号、又は、第３拡張左音声信号（又は第３拡張右音声信号）を増幅する第２増幅部と、
第１拡張左音声信号を出力する第１スピーカー端子と、
第２拡張左音声信号を出力する第２スピーカー端子と、
第３拡張左音声信号を出力する第３スピーカー端子と、
前記第１増幅部からの第１拡張左音声信号を前記第１スピーカー端子に供給するか否かを切換える第１スイッチと、
前記第１増幅部からの第２拡張左音声信号を前記第２スピーカー端子に供給するか否かを切換える第２スイッチと、
前記第２増幅部からの第２拡張左音声信号を前記第２スピーカー端子に供給するか否かを切換える第３スイッチと、
前記第２増幅部からの第３拡張左音声信号を前記第３スピーカー端子に供給するか否かを切換える第４スイッチと、
マルチチャンネル音声データに、第１拡張左音声信号、第２拡張左音声信号、又は、第３拡張左音声信号のいずれが含まれているかを判断するチャンネル判断部と、
第１拡張左音声信号が含まれていると判断された場合、前記第１スイッチに前記第１増幅部によって増幅された第１拡張左音声信号を前記第１スピーカー端子に供給させ、第２拡張左音声信号が含まれていると判断された場合、前記第２スイッチに前記第１増幅部によって増幅された第２拡張左音声信号を前記第２スピーカー端子に供給させ、又は、前記第３スイッチに前記第２増幅部によって増幅された第２拡張左音声信号を前記第２スピーカー端子に供給させ、第３拡張左音声信号が含まれていると判断された場合、前記第４スイッチに前記第２増幅部によって増幅された第３拡張左音声信号を前記第３スピーカー端子に供給させる切換制御部とを備える、音声処理装置。
【請求項２】
前記第１拡張左音声信号が、サラウンド後方左音声信号、左外側音声信号、左上側音声信号及び左中央側音声信号のいずれかであり（又は、前記第１拡張右音声信号が、サラウンド後方右音声信号、右外側音声信号、右上側音声信号及び右中央側音声信号のいずれかであり）、
前記第２拡張左音声信号が、サラウンド後方左音声信号、左外側音声信号、左上側音声信号及び左中央側音声信号のいずれかであり、かつ、前記第１拡張左音声信号とは異なり（又は、前記第２拡張右音声信号が、サラウンド後方右音声信号、右外側音声信号、右上側音声信号及び右中央側音声信号のいずれかであり、かつ、前記第１拡張右音声信号とは異なり）、
前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なる（又は、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる）、請求項１に記載の音声処理装置。
【請求項３】
前記切換制御部が、第１拡張左音声信号が含まれておらず、かつ、第２拡張左音声信号が含まれていると判断された場合、前記第２スイッチに前記第１増幅部によって増幅された第２拡張左音声信号を前記第２スピーカー端子に供給させ、第１拡張左音声信号が含まれており、かつ、第２拡張左音声信号が含まれていると判断された場合、前記第３スイッチに前記第２増幅部によって増幅された第２拡張左音声信号を前記第２スピーカー端子に供給させる、請求項１または２に記載の音声処理装置。
【請求項４】
第１拡張左音声信号と第２拡張左音声信号とが含まれていると判断された場合、前記切換制御部が、前記第１スイッチに前記第１増幅部によって増幅された第１拡張左音声信号を前記第１スピーカー端子に供給させ、前記第３スイッチに前記第２増幅部によって増幅された第２拡張左音声信号を前記第２スピーカー端子に供給させ、
第１拡張左音声信号と第３拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、
第２拡張左音声信号と第３拡張左音声信号とが含まれていると判断された場合、前記切換制御部が、前記第２スイッチに前記第１増幅部によって増幅された第２拡張左音声信号を前記第２スピーカー端子に供給させ、前記第４スイッチに前記第２増幅部によって増幅された第３拡張左音声信号を前記第３スピーカー端子に供給させる、請求項１または２に記載の音声処理装置。
【請求項５】
第１拡張左音声信号と第２拡張左音声信号と第３拡張左音声信号とが含まれていると判断された場合、ユーザ操作によって予め設定された２つの音声信号をそれぞれ対応するスピーカー端子に供給するように前記切換制御部が動作する、請求項１〜４のいずれかに記載の音声処理装置。
【請求項６】
前記第１増幅部が、第１拡張左音声信号、又は、第２拡張左音声信号、又は、第４拡張左音声信号（又は第４拡張右音声信号）を増幅し、
前記第２増幅部が、第２拡張左音声信号、又は、第３拡張左音声信号、又は、第４拡張左音声信号を増幅し、
第４拡張左音声信号を出力する第４スピーカー端子と、
前記第１増幅部からの第４拡張左音声信号を前記第４スピーカー端子に供給するか否かを切換える第５スイッチと、
前記第２増幅部からの第４拡張左音声信号を前記第４スピーカー端子に供給するか否かを切換える第６スイッチと、をさらに備え、
前記チャンネル判断部が、マルチチャンネル音声データに第４拡張左音声信号が含まれているかをさらに判断し、
前記切換制御部が、第４拡張左音声信号が含まれていると判断された場合、前記第５スイッチに前記第１増幅部によって増幅された第４拡張左音声信号を前記第４スピーカー端子に供給させ、又は、前記第６スイッチに前記第２増幅部によって増幅された第４拡張左音声信号を前記第４スピーカー端子に供給させる、請求項１または２に記載の音声処理装置。
【請求項７】
第２拡張左音声信号を前記第１増幅部または前記第２増幅部に供給する前の段階で出力するプリアウト端子をさらに備え、
第１拡張左音声信号と第２拡張左音声信号と第３拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、第２拡張左音声信号を前記プリアウト端子から出力させる、請求項１〜６のいずれかに記載の音声処理装置。
【請求項８】
第２拡張左音声信号を前記第１増幅部または前記第２増幅部に供給する前の段階で出力する第１プリアウト端子と、
第４拡張左音声信号を前記第１増幅部または前記第２増幅部に供給する前の段階で出力する第２プリアウト端子とをさらに備え、
第１拡張左音声信号と第２拡張左音声信号と第３拡張左音声信号と第４拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、第２拡張左音声信号を前記第１プリアウト端子から出力させ、第４拡張左音声信号を前記第２プリアウト端子から出力させる、請求項６に記載の音声処理装置。
【請求項９】
第２拡張左音声信号、又は、第４拡張左音声信号（又は第４拡張右音声信号）を増幅する第３増幅部と、
第４拡張左音声信号を出力する第４スピーカー端子と、
前記第３増幅部からの第２拡張左音声信号を前記第２スピーカー端子に供給するか否かを切換える第５スイッチと、
前記第３増幅部からの第４拡張左音声信号を前記第４スピーカー端子に供給するか否かを切換える第６スイッチと、をさらに備え、
前記チャンネル判断部が、マルチチャンネル音声データに第４拡張左音声信号が含まれているかをさらに判断し、
前記切換制御部が、第２拡張左音声信号が含まれていると判断された場合、前記第２スイッチに前記第１増幅部によって増幅された第２拡張左音声信号を前記第２スピーカー端子に供給させ、又は、前記第３スイッチに前記第２増幅部によって増幅された第２拡張左音声信号を前記第２スピーカー端子に供給させ、又は、前記第５スイッチに前記第３増幅部によって増幅された第２拡張左音声信号を前記第２スピーカー端子に供給させ、第４拡張左音声信号が含まれていると判断された場合、前記第６スイッチに前記第３増幅部によって増幅された第４拡張左音声信号を前記第４スピーカー端子に供給させる、請求項１または２に記載の音声処理装置。
【請求項１０】
第２拡張左音声信号を前記第１増幅部又は前記第２増幅部又は前記第３増幅部に供給する前の段階で出力するプリアウト端子をさらに備え、
第１拡張左音声信号と第２拡張左音声信号と第３拡張左音声信号と第４拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、前記第６スイッチに前記第３増幅部によって増幅された第４拡張左音声信号を前記第４スピーカー端子に供給させ、第２拡張左音声信号を前記プリアウト端子から出力させる、請求項９に記載の音声処理装置。
【発明の詳細な説明】
【技術分野】
【０００１】
本発明は、マルチチャンネル音声データを再生する音声処理装置に関する。
【背景技術】
【０００２】
ＢＤ（ブルーレイディスク）プレーヤと、ＡＶアンプと、ディスプレイ装置とを備える音声再生システムが利用されている。ＢＤプレーヤからＡＶアンプに送信される音声データは、マルチチャンネル音声データがエンコードされたものである。例えば、マルチチャンネル音声データは、図３に示すように、左音声信号Ｌ、右音声信号Ｒ、中央音声信号Ｃ、低域音声信号ＳＷ、サラウンド左音声信号ＳＬ、及び、サラウンド右音声信号ＳＲを含む。また、最近では、ＢＤプレーヤ等で使用されるDolby True HD、Dolby Digital Plus、DTS-HD等のＨＤ（High Definition）関連の音声フォーマットが登場してきており、これらのフォーマットにおいては、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨがさらに追加されている。
【０００３】
しかし、これらの全てのチャンネルの音声信号に対応するアンプをＡＶアンプに設けると、合計１１．１ｃｈ分のアンプを設けることになるので、コストが非常に高くなってしまう。また、上記の拡張チャンネルのいずれかに代えて（又は、上記の拡張チャンネルに加えて）、図８に示すように左中央側音声信号ＬＣ、右中央側音声信号ＲＣが追加される場合も同様である。さらには、ＡＶアンプが、リスニングモードに応じて、ＤＳＰにおいて上記の拡張チャンネルを生成する場合も同様である。
【先行技術文献】
【特許文献】
【０００４】
【特許文献１】特開２００７−１５８５６１号公報
【発明の概要】
【発明が解決しようとする課題】
【０００５】
本発明は上記従来の課題を解決するためになされたものであり、その目的は、全チャンネル数分のアンプを設ける必要なく、第１拡張左音声信号、第２拡張左音声信号、および、第３拡張左音声信号の中から選択される１つまたは２つの音声信号を増幅して、これらのチャンネルに対応するスピーカー端子から出力することができる音声処理装置を提供することである。
【課題を解決するための手段】
【０００６】
本発明の好ましい実施形態による音声処理装置は、第１拡張左音声信号（又は第１拡張右音声信号）、又は、第２拡張左音声信号（又は第２拡張右音声信号）を増幅する第１増幅部と、第２拡張左音声信号、又は、第３拡張左音声信号（又は第３拡張右音声信号）を増幅する第２増幅部と、第１拡張左音声信号を出力する第１スピーカー端子と、第２拡張左音声信号を出力する第２スピーカー端子と、第３拡張左音声信号を出力する第３スピーカー端子と、前記第１増幅部からの第１拡張左音声信号を前記第１スピーカー端子に供給するか否かを切換える第１スイッチと、前記第１増幅部からの第２拡張左音声信号を前記第２スピーカー端子に供給するか否かを切換える第２スイッチと、前記第２増幅部からの第２拡張左音声信号を前記第２スピーカー端子に供給するか否かを切換える第３スイッチと、前記第２増幅部からの第３拡張左音声信号を前記第３スピーカー端子に供給するか否かを切換える第４スイッチと、マルチチャンネル音声データに、第１拡張左音声信号、第２拡張左音声信号、又は、第３拡張左音声信号のいずれが含まれているかを判断するチャンネル判断部と、第１拡張左音声信号が含まれていると判断された場合、前記第１スイッチに前記第１増幅部によって増幅された第１拡張左音声信号を前記第１スピーカー端子に供給させ、第２拡張左音声信号が含まれていると判断された場合、前記第２スイッチに前記第１増幅部によって増幅された第２拡張左音声信号を前記第２スピーカー端子に供給させ、又は、前記第３スイッチに前記第２増幅部によって増幅された第２拡張左音声信号を前記第２スピーカー端子に供給させ、第３拡張左音声信号が含まれていると判断された場合、前記第４スイッチに前記第２増幅部によって増幅された第３拡張左音声信号を前記第３スピーカー端子に供給させる切換制御部とを備える。
【０００７】
好ましい実施形態においては、前記第１拡張左音声信号が、サラウンド後方左音声信号、左外側音声信号、左上側音声信号及び左中央側音声信号のいずれかであり（又は、前記第１拡張右音声信号が、サラウンド後方右音声信号、右外側音声信号、右上側音声信号及び右中央側音声信号のいずれかであり）、前記第２拡張左音声信号が、サラウンド後方左音声信号、左外側音声信号、左上側音声信号及び左中央側音声信号のいずれかであり、かつ、前記第１拡張左音声信号とは異なり（又は、前記第２拡張右音声信号が、サラウンド後方右音声信号、右外側音声信号、右上側音声信号及び右中央側音声信号のいずれかであり、かつ、前記第１拡張右音声信号とは異なり）、前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なる（又は、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる）。
【０００８】
マルチチャンネル音声データにどのチャンネルが含まれているかを判別し、含まれているチャンネルを第１増幅手段又は第２増幅手段に増幅させることにより、２つの増幅手段を備えるだけで、第１拡張左音声信号、第２拡張左音声信号および第３拡張左音声信号の中から選択される１つ又は２つの音声信号を増幅して、これらのチャンネルに対応するスピーカー端子に出力することができる。同様に、２つの増幅手段を備えるだけで、第１拡張右音声信号、第２拡張右音声信号および第３拡張右音声信号の中から選択される１つ又は２つの音声信号を増幅して、これらのチャンネルに対応するスピーカー端子に出力することができる。
【０００９】
好ましい実施形態においては、前記切換制御手段が、第１拡張左音声信号が含まれておらず、かつ、第２拡張左音声信号が含まれていると判断された場合、前記第２スイッチに前記第１増幅手段によって増幅された第２拡張左音声信号を前記第２スピーカー端子に供給させ、第１拡張左音声信号が含まれており、かつ、第２拡張左音声信号が含まれていると判断された場合、前記第３スイッチに前記第２増幅手段によって増幅された第２拡張左音声信号を前記第２スピーカー端子に供給させる。
【００１０】
好ましい実施形態においては、第１拡張左音声信号と第２拡張左音声信号とが含まれていると判断された場合、前記切換制御手段が、前記第１スイッチに前記第１増幅手段によって増幅された第１拡張左音声信号を前記第１スピーカー端子に供給させ、前記第３スイッチに前記第２増幅手段によって増幅された第２拡張左音声信号を前記第２スピーカー端子に供給させ、第１拡張左音声信号と第３拡張左音声信号とが含まれていると判断された場合、前記切換制御手段が、前記第１スイッチに前記第１増幅手段によって増幅された第１拡張左音声信号を前記第１スピーカー端子に供給させ、前記第４スイッチに前記第２増幅手段によって増幅された第３拡張左音声信号を前記第３スピーカー端子に供給させ、第２拡張左音声信号と第３拡張左音声信号とが含まれていると判断された場合、前記切換制御手段が、前記第２スイッチに前記第１増幅手段によって増幅された第２拡張左音声信号を前記第２スピーカー端子に供給させ、前記第４スイッチに前記第２増幅手段によって増幅された第３拡張左音声信号を前記第３スピーカー端子に供給させる。
【００１１】
好ましい実施形態においては、第１拡張左音声信号と第２拡張左音声信号と第３拡張左音声信号とが含まれていると判断された場合、ユーザ操作によって予め設定された２つの音声信号をそれぞれ対応するスピーカー端子に供給するように前記切換制御手段が動作する。
【００１２】
好ましい実施形態においては、前記第１増幅部が、第１拡張左音声信号、又は、第２拡張左音声信号、又は、第４拡張左音声信号（又は第４拡張右音声信号）を増幅し、前記第２増幅部が、第２拡張左音声信号、又は、第３拡張左音声信号、又は、第４拡張左音声信号を増幅し、第４拡張左音声信号を出力する第４スピーカー端子と、前記第１増幅部からの第４拡張左音声信号を前記第４スピーカー端子に供給するか否かを切換える第５スイッチと、前記第２増幅部からの第４拡張左音声信号を前記第４スピーカー端子に供給するか否かを切換える第６スイッチと、をさらに備え、前記チャンネル判断部が、マルチチャンネル音声データに第４拡張左音声信号が含まれているかをさらに判断し、前記切換制御部が、第４拡張左音声信号が含まれていると判断された場合、前記第５スイッチに前記第１増幅部によって増幅された第４拡張左音声信号を前記第４スピーカー端子に供給させ、又は、前記第６スイッチに前記第２増幅部によって増幅された第４拡張左音声信号を前記第４スピーカー端子に供給させる。
【００１３】
好ましい実施形態においては、第２拡張左音声信号を前記第１増幅部または前記第２増幅部に供給する前の段階で出力するプリアウト端子をさらに備え、第１拡張左音声信号と第２拡張左音声信号と第３拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、第２拡張左音声信号を前記プリアウト端子から出力させる。
【００１４】
好ましい実施形態においては、第２拡張左音声信号を前記第１増幅部または前記第２増幅部に供給する前の段階で出力する第１プリアウト端子と、第４拡張左音声信号を前記第１増幅部または前記第２増幅部に供給する前の段階で出力する第２プリアウト端子とをさらに備え、第１拡張左音声信号と第２拡張左音声信号と第３拡張左音声信号と第４拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、第２拡張左音声信号を前記第１プリアウト端子から出力させ、第４拡張左音声信号を前記第２プリアウト端子から出力させる。
【００１５】
好ましい実施形態においては、第２拡張左音声信号、又は、第４拡張左音声信号（又は第４拡張右音声信号）を増幅する第３増幅部と、第４拡張左音声信号を出力する第４スピーカー端子と、前記第３増幅部からの第２拡張左音声信号を前記第２スピーカー端子に供給するか否かを切換える第５スイッチと、前記第３増幅部からの第４拡張左音声信号を前記第４スピーカー端子に供給するか否かを切換える第６スイッチと、をさらに備え、前記チャンネル判断部が、マルチチャンネル音声データに第４拡張左音声信号が含まれているかをさらに判断し、前記切換制御部が、第２拡張左音声信号が含まれていると判断された場合、前記第２スイッチに前記第１増幅部によって増幅された第２拡張左音声信号を前記第２スピーカー端子に供給させ、又は、前記第３スイッチに前記第２増幅部によって増幅された第２拡張左音声信号を前記第２スピーカー端子に供給させ、又は、前記第５スイッチに前記第３増幅部によって増幅された第２拡張左音声信号を前記第２スピーカー端子に供給させ、第４拡張左音声信号が含まれていると判断された場合、前記第６スイッチに前記第３増幅部によって増幅された第４拡張左音声信号を前記第４スピーカー端子に供給させる。
【００１６】
好ましい実施形態においては、第２拡張左音声信号を前記第１増幅部又は前記第２増幅部又は前記第３増幅部に供給する前の段階で出力するプリアウト端子をさらに備え、第１拡張左音声信号と第２拡張左音声信号と第３拡張左音声信号と第４拡張左音声信号とが含まれていると判断された場合、前記切換制御部が、前記第１スイッチに前記第１増幅部によって増幅された第１拡張左音声信号を前記第１スピーカー端子に供給させ、前記第４スイッチに前記第２増幅部によって増幅された第３拡張左音声信号を前記第３スピーカー端子に供給させ、前記第６スイッチに前記第３増幅部によって増幅された第４拡張左音声信号を前記第４スピーカー端子に供給させ、第２拡張左音声信号を前記プリアウト端子から出力させる。
【発明の効果】
【００１７】
全チャンネル数分のアンプを設ける必要なく、第１拡張左音声信号、第２拡張左音声信号、および、第３拡張左音声信号の中から選択される１つまたは２つの音声信号を増幅して、これらのチャンネルに対応するスピーカー端子から出力することができる。
【図面の簡単な説明】
【００１８】
【図１】ＡＶアンプ１及びスピーカーの配置を示す図である。
【図２】音声再生システムを示す図である。
【図３】音声信号のチャンネルを示す図である。
【図４】音声処理部５を示す図である。
【図５】制御部２の処理を示すフローチャートである。
【図６】制御部２の処理を示すフローチャートである。
【図７】音声処理部５Ａを示す図である。
【図８】音声信号のチャンネルを示す図である。
【図９】音声処理部５Ｂを示す図である。
【図１０】音声処理部５Ｃを示す図である。
【図１１】制御部２の処理を示すフローチャートである。
【図１２】制御部２の処理を示すフローチャートである。
【図１３】制御部２の処理を示すフローチャートである。
【図１４】音声処理部５Ｄを示す図である。
【図１５】制御部２の処理を示すフローチャートである。
【図１６】制御部２の処理を示すフローチャートである。
【図１７】制御部２の処理を示すフローチャートである。
【図１８】音声処理部５Ｅを示す図である。
【図１９】音声処理部５Ｆを示す図である。
【図２０】音声処理部５Ｇを示す図である。
【発明を実施するための形態】
【００１９】
以下、本発明の好ましい実施形態によるディスク再生装置（以下、ＢＤプレーヤという。）、音声処理装置（以下、ＡＶアンプという。）及びディスプレイ装置を備える音声再生システムついて、図面を参照して具体的に説明するが、本発明はこれらの実施形態には限定されない。図１は、ＡＶアンプ１、及び、各スピーカーの配置の一例を説明する図である。ＡＶアンプ１には、左スピーカーＳＬ、右スピーカーＳＲ、中央スピーカーＳＣ、低域スピーカーＳＳＷ、サラウンド左スピーカーＳＳＬ、サラウンド右スピーカーＳＳＲ、サラウンド後方左スピーカーＳＳＢＬ、サラウンド後方右スピーカーＳＳＢＲ、左上側スピーカーＳＬＨ、右上側スピーカーＳＲＨ、左外側スピーカーＳＬＷ、右外側スピーカーＳＲＷが接続されている。
【００２０】
図２は、音声再生システムの構成を示すブロック図である。ＢＤプレーヤ１００、ＡＶアンプ１及びディスプレイ装置２００は、例えばＨＤＭＩ規格に準拠し、ＨＤＭＩケーブルを介して相互に接続されている。ＢＤプレーヤ１００は、マルチチャンネル音声データ及び映像データを含むＨＤＭＩデータをＡＶアンプ１に送信する。ＡＶアンプ１は、ＢＤプレーヤ１００から受信したＨＤＭＩデータに含まれるマルチチャンネル音声データを増幅してスピーカーに出力する。また、ＡＶアンプ１は、映像データを含むＨＤＭＩデータをディスプレイ装置２００に送信する。ディスプレイ装置２００は、ＡＶアンプ１から受信したＨＤＭＩデータに含まれる映像データを表示する。
【００２１】
ＡＶアンプ１は、制御部２と、ＨＤＭＩ受信部３と、ＨＤＭＩ送信部４と、音声処理部５と、操作部６と、表示部７と、ＨＤＭＩ端子８，９とを有している。ＡＶアンプ１には、スピーカー３００（図１の各スピーカーに相当）が接続されている。
【００２２】
ＨＤＭＩ受信部３は、ＢＤプレーヤ１００から送信されたＨＤＭＩデータを受信して、受信したＨＤＭＩデータから元の映像データを生成し、ＨＤＭＩ送信部４に供給する。また、ＨＤＭＩ受信部３は、受信したＨＤＭＩデータから元のマルチチャンネル音声データを生成して、音声処理部５に供給する。
【００２３】
音声処理部５は、ＨＤＭＩ受信部３から供給されたマルチチャンネル音声データをデコードし、音響処理、Ｄ／Ａ変換処理、ボリューム調整処理、増幅処理等の各処理を実行し、スピーカー３００に各チャンネルの音声信号を供給する。音声処理部５に供給されるマルチチャンネル音声データについて説明する。Dolby True HD、Dolby Digital Plus、DTS-HD等のＨＤ（High Definition）関連の音声フォーマットにおいては、図３に示すように、例えば、左音声信号Ｌ（前方左音声信号）、右音声信号Ｒ（前方右音声信号）、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲ、左外側音声信号ＬＷ、右外側音声信号ＲＷ、左上側音声信号ＬＨ、右上側音声信号ＲＨ等が含まれる。
【００２４】
サラウンド後方左音声信号ＳＢＬは、ユーザの後方左側の位置から再生される音声信号である。サラウンド後方右音声信号ＳＢＲは、ユーザの後方右側の位置から再生される音声信号である。左外側音声信号ＬＷは、左音声信号Ｌの外側（左側）の位置（つまりユーザの前方左外側）から再生される音声信号である。右外側音声信号ＲＷは、右音声信号Ｒの外側（右）の位置（つまりユーザの前方右外側）から再生される音声信号である。左上側音声信号ＬＨは、左音声信号Ｌの上側の位置（つまりユーザの前方左上側）から再生される音声信号である。右上側音声信号ＲＨは、右音声信号Ｒの上側の位置（つまりユーザの前方右上側）から再生される音声信号である。
【００２５】
図４は、音声処理部５の要部を示すブロック図である。音声処理部５は、プリアウト部１１と、パワーアンプ１２と、ＳＰ（スピーカー）リレー１３と、ＳＰ（スピーカー）端子１４とを有する。図４においては、基本の５．１ｃｈ分（左音声信号Ｌ、右音声信号Ｒ、中央音声信号Ｃ、低域音声信号ＳＷ、サラウンド左音声信号ＳＬ、サラウンド右音声信号ＳＲ）に関する各回路については従来と同じであるので省略している。また、プリアウト部１１の前段に設けられるＤＳＰ等についても省略している。
【００２６】
ＤＳＰは、ＨＤＭＩ受信部３から供給されるマルチチャンネル音声データをデコード及びＤ／Ａ変換し、各チャンネルの音声信号を生成する。生成された音声信号は、プリアウト部１１に供給される。
【００２７】
プリアウト部１１は、スイッチＳ１１ａ〜Ｓ１１ｈを有する。スイッチＳ１１ａは、サラウンド後方左音声信号ＳＢＬをアンプ１２ａに出力するか否かを切り換える。スイッチＳ１１ｂは、左外側音声信号ＬＷをアンプ１２ａに出力するか否かを切り換える。スイッチＳ１１ｃは、左上側音声信号ＬＨをアンプ１２ｂに出力するか否かを切り換える。スイッチＳ１１ｄは、左外側音声信号ＬＷをアンプ１２ｂに出力するか否かを切り換える。スイッチＳ１１ａ、１１ｂの内、マルチチャンネル音声データに含まれているチャンネルに応じて、いずれか１つのスイッチがオン状態とされる。スイッチＳ１１ｃ、１１ｄの内、マルチチャンネル音声データに含まれているチャンネルに応じて、いずれか１つのスイッチがオン状態とされる。
【００２８】
スイッチＳ１１ｅは、サラウンド後方右音声信号ＳＢＲをアンプ１２ｃに出力するか否かを切り換える。スイッチＳ１１ｆは、右外側音声信号ＲＷをアンプ１２ｃに出力するか否かを切り換える。スイッチＳ１１ｇは、右上側音声信号ＲＨをアンプ１２ｄに出力するか否かを切り換える。スイッチＳ１１ｈは、右外側音声信号ＲＷをアンプ１２ｄに出力するか否かを切り換える。スイッチＳ１１ｅ、１１ｆの内、マルチチャンネル音声データに含まれているチャンネルに応じて、いずれか１つのスイッチがオン状態とされる。スイッチＳ１１ｇ、１１ｈの内、マルチチャンネル音声データに含まれているチャンネルに応じて、いずれか１つのスイッチがオン状態とされる。
【００２９】
なお、プリアウト部１１がスイッチＳ１１ａ〜Ｓ１１ｈを備えるのではなく、マルチチャンネル音声データに含まれるチャンネルに応じて、ＤＳＰがアンプ１２ａ〜１２ｄに供給する音声信号のチャンネルを変更するようにしてもよい。
【００３０】
パワーアンプ１２は、アンプ１２ａ〜１２ｄを有する。アンプ１２ａは、プリアウト部１１から供給されるサラウンド後方左音声信号ＳＢＬ、又は、左外側音声信号ＬＷを増幅してＳＰリレー１３（スイッチＳ１３ａ、Ｓ１３ｂ）に供給する。アンプ１２ｂは、プリアウト部１１から供給される左上側音声信号ＬＨ、又は、左外側音声信号ＬＷを増幅してＳＰリレー１３（スイッチＳ１３ｃ、Ｓ１３ｄ）に供給する。アンプ１２ｃは、プリアウト部１１から供給されるサラウンド後方右音声信号ＳＢＲ、又は、右外側音声信号ＲＷを増幅してＳＰリレー１３（スイッチＳ１３ｅ、Ｓ１３ｆ）に供給する。アンプ１２ｄは、プリアウト部１１から供給される右上側音声信号ＲＨ、又は、右外側音声信号ＲＷを増幅してＳＰリレー１３（スイッチＳ１３ｇ、Ｓ１３ｈ）に供給する。
【００３１】
ＳＰリレー１３は、リレースイッチ（以下スイッチという。）Ｓ１３ａ〜Ｓ１３ｈを有する。スイッチＳ１３ａは、アンプ１２ａから供給されるサラウンド後方左音声信号ＳＢＬを、サラウンド後方左ＳＰ端子１４ａに供給するか否かを切り換える。スイッチＳ１３ｂは、アンプ１２ａから供給される左外側音声信号ＬＷを、左外側ＳＰ端子１４ｂに供給するか否かを切り換える。スイッチＳ１３ｃは、アンプ１２ｂから供給される左外側音声信号ＬＷを、左外側ＳＰ端子１４ｂに供給するか否かを切り換える。スイッチＳ１３ｄは、アンプ１２ｂから供給される左上側音声信号ＬＨを、左上側ＳＰ端子１４ｃに供給するか否かを切り換える。スイッチ１３ａ〜Ｓ１３ｄは、マルチチャンネル音声データに含まれるチャンネルに応じて切換えられる。
【００３２】
スイッチＳ１３ｅは、アンプ１２ｃから供給されるサラウンド後方右音声信号ＳＢＲを、サラウンド後方右ＳＰ端子１４ｄに供給するか否かを切り換える。スイッチＳ１３ｆは、アンプ１２ｃから供給される右外側音声信号ＲＷを、右外側ＳＰ端子１４ｅに供給するか否かを切り換える。スイッチＳ１３ｇは、アンプ１２ｄから供給される右外側音声信号ＲＷを、右外側ＳＰ端子１４ｅに供給するか否かを切り換える。スイッチＳ１３ｈは、アンプ１２ｄから供給される右上側音声信号ＲＨを、右上側ＳＰ端子１４ｆに供給するか否かを切り換える。スイッチ１３ｅ〜Ｓ１３ｈは、マルチチャンネル音声データに含まれるチャンネルに応じて切換えられる。
【００３３】
ＳＰ端子１４は、ＳＰ端子１４ａ〜１４ｆを有する。サラウンド後方左ＳＰ端子１４ａにはサラウンド後方左スピーカーＳＳＢＬが接続される。左外側ＳＰ端子１４ｂには左外側スピーカーＳＬＷが接続される。左上側ＳＰ端子１４ｃには左上側スピーカーＳＬＨが接続される。サラウンド後方右ＳＰ端子１４ｄにはサラウンド後方右スピーカーＳＳＢＲが接続される。右外側ＳＰ端子１４ｅには右外側スピーカーＳＲＷが接続される。右上側ＳＰ端子１４ｆには右上側スピーカーＳＲＨが接続される。
【００３４】
図２に戻り、ＨＤＭＩ送信部４は、ＨＤＭＩ受信部３から供給された映像データを、ＨＤＭＩデータに変換し、ディスプレイ装置２００に送信する。
【００３５】
制御部２は、内蔵又は接続された図示しないメモリに記憶されているＡＶアンプの動作プログラムに基づいて、各部を制御するものであり、例えば、マイクロコンピュータやＣＰＵ等である。制御部２は、マルチチャンネル音声データに含まれるチャンネルを判別し、スイッチＳ１１ａ〜Ｓ１１ｈ、Ｓ１３ａ〜Ｓ１３ｈを切換制御する。（なお、マルチチャンネル音声データは、ＢＤ１００プレーヤから受信する音声データに限定されず、ＤＳＰが出力する音声データであてもよい。）つまり、サラウンド後方左音声信号ＳＢＬが含まれていると判断された場合、制御部２は、スイッチＳ１３ａにアンプ１２ａによって増幅されたサラウンド後方左音声信号ＳＢＬをＳＰ端子１４ａに供給させる。左外側音声信号ＬＷが含まれていると判断された場合、制御部２は、スイッチＳ１３ｂにアンプ１２ａによって増幅された左外側音声信号ＬＷをＳＰ端子１４ｂに供給させ、又は、スイッチＳ１３ｃにアンプ１２ｂによって増幅された左外側音声信号ＬＷをＳＰ端子１４ｂに供給させる。左上側音声信号ＬＨが含まれていると判断された場合、制御部２は、スイッチＳ１３ｄにアンプ１２ｂによって増幅された左上側音声信号ＬＨをＳＰ端子１４ｃに供給させる。各右信号についても同様である。
【００３６】
ＨＤＭＩ受信部３は、ＨＤＭＩデータから元のマルチチャンネル音声データを生成し、音声処理部５に供給する。音声処理部５は、マルチチャンネル音声データをデコードし、その情報領域に含まれているチャンネル情報を読み出して、制御部２に供給する。
【００３７】
以下、本発明の動作を説明する。図５は、制御部２のプリアウト部１１の切換処理を示すフローチャートである。制御部２は、音声処理部５から供給されるマルチチャンネル音声データに含まれる入力信号のチャンネル情報に基づいて、サラウンド後方左音声信号ＳＢＬとサラウンド後方右音声信号ＳＢＲとの組合せ、左上側音声信号ＬＨと右上側音声信号ＲＨとの組合せ、左外側音声信号ＬＷと右外側音声信号ＲＷとの組合せのいずれ（１つ又は２つ）が含まれているかを判断する。
【００３８】
まず、制御部２は、サラウンド後方左音声信号ＳＢＬとサラウンド後方右音声信号ＳＢＲとの組合せが含まれているか否かを判断する（Ｓ１）。含まれている場合（Ｓ１でＹＥＳ）、制御部２は、サラウンド後方左音声信号ＳＢＬをサラウンド後方左ＳＰ端子１４ａに供給し、サラウンド後方右音声信号ＳＢＲをサラウンド後方右ＳＰ端子１４ｄに供給するように、スイッチを制御する。すなわち、制御部２は、スイッチＳ１１ａ、Ｓ１１ｅをオン状態に、Ｓ１１ｂ、Ｓ１１ｆをオフ状態に制御する（Ｓ２）。
【００３９】
次に、制御部２は、マルチチャンネル音声データに左上側音声信号ＬＨと右上側音声信号ＲＨとの組合せが含まれているか否かをさらに判断する（Ｓ３）。含まれている場合（Ｓ３でＹＥＳ）、制御部２は、左上側音声信号ＬＨを左上側ＳＰ端子１４ｃに供給し、右上側音声信号ＲＨを右上側ＳＰ端子１４ｆに供給するように、スイッチを制御する。すなわち、制御部２は、スイッチＳ１１ｃ、Ｓ１１ｇをオン状態に、Ｓ１１ｄ、Ｓ１１ｈをオフ状態に制御する（Ｓ４）。
【００４０】
一方、Ｓ３においてマルチチャンネル音声データに左上側音声信号ＬＨと右上側音声信号ＲＨとの組合せが含まれていない場合、制御部２は、左外側音声信号ＬＷを左外側ＳＰ端子１４ｂに供給し、右外側音声信号ＲＷを右外側ＳＰ端子１４ｅに供給するように、スイッチを制御する。すなわち、制御部２は、スイッチＳ１１ｄ、Ｓ１１ｈをオン状態に、Ｓ１１ｃ、Ｓ１１ｇをオフ状態に制御する（Ｓ５）。
【００４１】
Ｓ１において、サラウンド後方左音声信号ＳＢＬとサラウンド後方右音声信号ＳＢＲとの組合せが含まれていない場合、制御部２は、左外側音声信号ＬＷを左外側ＳＰ端子１４ｂに供給し、右外側音声信号ＲＷを右外側ＳＰ端子１４ｅに供給し、左上側音声信号ＬＨを左上側ＳＰ端子１４ｃに供給し、右上側音声信号ＲＨを右上側ＳＰ端子１４ｆに供給するように、スイッチを制御する。すなわち、制御部２は、スイッチＳ１１ｂ、Ｓ１１ｃ、Ｓ１１ｆ、Ｓ１１ｇをオン状態に、Ｓ１１ａ、Ｓ１１ｄ、Ｓ１１ｅ、Ｓ１１ｈをオフ状態に制御する（Ｓ６）。
【００４２】
図６は、制御部２のＳＰリレー切換処理を示すフローチャートである。制御部２は、サラウンド後方左音声信号ＳＢＬとサラウンド後方右音声信号ＳＢＲとの組合せが含まれているか否かを判断する（Ｓ１１）。含まれている場合（Ｓ１１でＹＥＳ）、制御部２は、サラウンド後方左音声信号ＳＢＬをサラウンド後方左ＳＰ端子１４ａに供給し、サラウンド後方右音声信号ＳＢＲをサラウンド後方右ＳＰ端子１４ｄに供給するように、スイッチを制御する。すなわち、制御部２は、スイッチＳ１３ａ、Ｓ１３ｅをオン状態に、Ｓ１３ｂ、Ｓ１３ｆをオフ状態に制御する（Ｓ１２）。
【００４３】
次に、制御部２は、マルチチャンネル音声データに左上側音声信号ＬＨと右上側音声信号ＲＨとの組合せが含まれているか否かをさらに判断する（Ｓ１３）。含まれている場合（Ｓ１３でＹＥＳ）、制御部２は、左上側音声信号ＬＨを左上側ＳＰ端子１４ｃに供給し、右上側音声信号ＲＨを右上側ＳＰ端子１４ｆに供給するように、スイッチを制御する。すなわち、制御部２は、スイッチＳ１３ｄ、Ｓ１３ｈをオン状態に、Ｓ１３ｃ、Ｓ１３ｇをオフ状態に制御する（Ｓ１４）。
【００４４】
一方、Ｓ１３において、左上側音声信号ＬＨと右上側音声信号ＲＨとの組合せが含まれていない場合、制御部２は、左上側音声信号ＬＨを左上側ＳＰ端子１４ｃに供給せず、右上側音声信号ＲＨを右上側ＳＰ端子１４ｆに供給しないように、スイッチＳ１３ｄ、Ｓ１３ｈをオフ状態に制御する（Ｓ１５）。そして、制御部２は、マルチチャンネル音声データに左外側音声信号ＬＷと右外側音声信号ＲＷとの組合せが含まれているか否かをさらに判断する（Ｓ１６）。含まれている場合（Ｓ１６でＹＥＳ）、制御部２は、左外側音声信号ＬＷを左外側ＳＰ端子１４ｂに供給し、右外側音声信号ＲＷを右外側ＳＰ端子１４ｅに供給するように、スイッチを制御する。すなわち、制御部２は、スイッチＳ１３ｃ、Ｓ１３ｇをオン状態に制御する（Ｓ１７）。
【００４５】
Ｓ１６において、左外側音声信号ＬＷと右外側音声信号ＲＷとの組合せが含まれていない場合、左外側音声信号ＬＷを左外側ＳＰ端子１４ｂに供給せず、右外側音声信号ＲＷを右外側ＳＰ端子１４ｅに供給しないように、スイッチＳ１３ｃ、Ｓ１３ｇをオフ状態に制御する（Ｓ１８）。
【００４６】
Ｓ１１において、サラウンド後方左音声信号ＳＢＬとサラウンド後方右音声信号ＳＢＲとの組合せが含まれていない場合、制御部２は、サラウンド後方左音声信号ＳＢＬをサラウンド後方左ＳＰ端子１４ａに供給せず、サラウンド後方右音声信号ＳＢＲをサラウンド後方右ＳＰ端子１４ｄに供給しないように、スイッチＳ１３ａ、Ｓ１３ｅをオフ状態に制御する（Ｓ１９）。さらに、制御部２は、Ｓ１３ｃ、Ｓ１３ｇをオフ状態に制御する（Ｓ１９）。
【００４７】
次に、制御部２は、マルチチャンネル音声データに左上側音声信号ＬＨと右上側音声信号ＲＨとの組合せが含まれているか否かをさらに判断する（Ｓ２０）。含まれている場合（Ｓ２０でＹＥＳ）、制御部２は、左上側音声信号ＬＨを左上側ＳＰ端子１４ｃに供給し、右上側音声信号ＲＨを右上側ＳＰ端子１４ｆに供給するように、スイッチを制御する。すなわち、制御部２は、スイッチＳ１３ｄ、Ｓ１３ｈをオン状態に制御する（Ｓ２１）。
【００４８】
一方、Ｓ２０において、左上側音声信号ＬＨと右上側音声信号ＲＨとの組合せが含まれていない場合、制御部２は、左上側音声信号ＬＨを左上側ＳＰ端子１４ｃに供給せず、右上側音声信号ＲＨを右上側ＳＰ端子１４ｆに供給しないように、スイッチＳ１３ｄ、Ｓ１３ｈをオフ状態に制御する（Ｓ２２）。
【００４９】
次に、制御部２は、マルチチャンネル音声データに左外側音声信号ＬＷと右外側音声信号ＲＷとの組合せが含まれているか否かをさらに判断する（Ｓ２３）。含まれている場合（Ｓ２３でＹＥＳ）、制御部２は、左外側音声信号ＬＷを左外側ＳＰ端子１４ｂに供給し、右外側音声信号ＲＷを右外側ＳＰ端子１４ｅに供給するように、スイッチを制御する。すなわち、制御部２は、スイッチＳ１３ｂ、Ｓ１３ｆをオン状態に制御する（Ｓ２４）。
【００５０】
Ｓ２３で、左外側音声信号ＬＷと右外側音声信号ＲＷとの組合せが含まれていない場合、左外側音声信号ＬＷを左外側ＳＰ端子１４ｂに供給せず、右外側音声信号ＲＷを右外側ＳＰ端子１４ｅに供給しないように、スイッチＳ１３ｂ、Ｓ１３ｆをオフ状態に制御する（Ｓ２５）。
【００５１】
以上のように、２つのアンプ１２ａ、１２ｂのみを有することによって、サラウンド後方左音声信号ＳＢＬ、左外側音声信号ＬＷおよび左上側音声信号ＬＨの中から任意に選択される２つのチャンネルの音声信号を増幅して、これらのチャンネルに対応するＳＰ端子に出力することができる。また、２つのアンプ１２ｃ、１２ｄのみを有することによって、サラウンド後方右音声信号ＳＢＲ、右外側音声信号ＲＷおよび右上側音声信号ＲＨの中から任意に選択される２つのチャンネルの音声信号を増幅して、これらのチャンネルに対応するＳＰ端子に出力することができる。このように処理できるのは、Dolby True HD、Dolby Digital Plus、DTS-HD等のＨＤ（High Definition）関連の音声フォーマットにおいては、サラウンド後方左音声信号ＳＢＬ、左外側音声信号ＬＷおよび左上側音声信号ＬＨの３つのチャンネルの音声信号が同時に含まれることはなく、サラウンド後方右音声信号ＳＢＲ、右外側音声信号ＲＷおよび右上側音声信号ＲＨの３つのチャンネルの音声信号が同時に含まれることがないからである。
【００５２】
なお、仮に、サラウンド後方左音声信号ＳＢＬ、左外側音声信号ＬＷおよび左上側音声信号ＬＨが同時に含まれる場合には、ユーザ操作によって予め設定された２つのチャンネルの音声信号を増幅して、各チャンネルのＳＰ端子に出力するようにすればよい。同様に、サラウンド後方右音声信号ＳＢＲ、右外側音声信号ＲＷおよび右上側音声信号ＲＨが同時に含まれる場合には、ユーザ操作によって予め設定された２つのチャンネルの音声信号を増幅して、各チャンネルのＳＰ端子に出力するようにすればよい。
【００５３】
また、上記のフローチャートでは、サラウンド後方左音声信号ＳＢＬ、左外側音声信号ＬＷおよび左上側音声信号ＬＨが同時に含まれる場合には、デフォルトでサラウンド後方左音声信号ＳＢＬと左上側音声信号ＬＨとが選択されるような処理になっているがこの限りではなく、左外側音声信号ＬＷが選択されるようにフローチャートが構成されてもよい。同じく、サラウンド後方右音声信号ＳＢＲ、右外側音声信号ＲＷおよび右上側音声信号ＲＨが同時に含まれる場合には、デフォルトでサラウンド後方右音声信号ＳＢＲと右上側音声信号ＲＨとが選択されるような処理になっているがこの限りではなく、右外側音声信号ＲＷが選択されるようにフローチャートが構成されてもよい。
【００５４】
次に本発明の別の好ましい実施形態を説明する。図７に示すように、本例では、左外側音声信号ＬＷと左上側音声信号ＬＨとを入れ替え、右外側音声信号ＲＷと右上側音声信号ＲＨとを入れ替えた回路構成としてもよい。
【００５５】
次に本発明の別の好ましい実施形態を説明する。図８に示すように、本例では、左外側音声信号ＬＷに代えて（又は加えて）左中央側音声信号ＬＣが存在し、右外側音声信号ＲＷに代えて（又は加えて）右中央側音声信号ＲＣが存在する。左中央側音声信号ＬＣは、左音声信号Ｌと中央音声信号Ｃとの間の位置から再生される音声信号である。右中央側音声信号ＲＣは、右音声信号Ｒと中央音声信号Ｃとの間の位置から再生される音声信号である。この場合に、図９に示すように、左外側音声信号ＬＷを左中央側音声信号ＬＣに置き換え、右外側音声信号ＲＷを右中央側音声信号ＲＣに置き換えた回路構成が採用されるとよい。
【００５６】
これらを踏まえて上記実施形態を一般的に表現すると、サラウンド後方左音声信号ＳＢＬを第１拡張左音声信号と定義し、サラウンド後方右音声信号ＳＢＲを第１拡張右音声信号と定義し、左外側音声信号ＬＷを第２拡張左音声信号と定義し、右外側音声信号ＲＷを第２拡張右音声信号と定義し、左上側音声信号ＬＨを第３拡張左音声信号と定義し、右上側音声信号ＲＨを第３拡張右音声信号と定義する。
【００５７】
そして、第１拡張左音声信号は、サラウンド後方左音声信号ＳＢＬ、左外側音声信号ＬＷ、左上側音声信号ＬＨおよび左中央側音声信号ＬＣのいずれかであればよい。第２拡張左音声信号は、サラウンド後方左音声信号ＳＢＬ、左外側音声信号ＬＷ、左上側音声信号ＬＨおよび左中央側音声信号ＬＣのいずれかであればよく、かつ、第１拡張左音声信号と異なるチャンネルであればよい。第３拡張左音声信号は、サラウンド後方左音声信号ＳＢＬ、左外側音声信号ＬＷ、左上側音声信号ＬＨおよび左中央側音声信号ＬＣのいずれかであればよく、かつ、第１拡張左音声信号および第２拡張左音声信号と異なるチャンネルであればよい。
【００５８】
同様に、第１拡張右音声信号は、サラウンド後方右音声信号ＳＢＲ、右外側音声信号ＲＷ、右上側音声信号ＲＨおよび右中央側音声信号ＲＣのいずれかであればよい。第２拡張右音声信号は、サラウンド後方右音声信号ＳＢＲ、右外側音声信号ＲＷ、右上側音声信号ＲＨおよび右中央側音声信号ＲＣのいずれかであればよく、かつ、第１拡張右音声信号と異なるチャンネルの信号であればよい。第３拡張右音声信号は、サラウンド後方右音声信号ＳＢＲ、右外側音声信号ＲＷ、右上側音声信号ＲＨおよび右中央側音声信号ＲＣのいずれかであればよく、かつ、第１拡張左音声信号および第２拡張左音声信号と異なるチャンネルの信号であればよい。
【００５９】
また、本発明にとって最低限必須であるのは、第１拡張左音声信号、第２拡張左音声信号および第３拡張左音声信号の内、選択される１つ又は２つの音声信号を増幅する構成、および、第１拡張右音声信号、第２拡張右音声信号および第３拡張右音声信号の内、選択される１つ又は２つの音声信号を増幅する構成の少なくとも一方である。つまり、第１拡張左音声信号、第２拡張左音声信号および第３拡張左音声信号の内、選択される１つ又は２つの音声信号を増幅する構成、および、第１拡張右音声信号、第２拡張右音声信号および第３拡張右音声信号の内、選択される１つ又は２つの音声信号を増幅する構成の両方を備える必要はない。
【００６０】
例えば、第１拡張左音声信号、第２拡張左音声信号および第３拡張左音声信号の内、選択される１つ又は２つの音声信号を増幅する構成のみを備える場合、上記の各フローチャートにおいて、サラウンド後方左音声信号ＳＢＬとサラウンド後方右音声信号ＳＢＲとの組合せが含まれているか否かを判断する処理は、サラウンド後方左音声信号ＳＢＬが含まれているか否かを判断する処理に変更される。左上側音声信号ＬＨと右上側音声信号ＲＨとの組合せが含まれているか否かを判断する処理は、左上側音声信号ＬＨが含まれているか否かを判断する処理に変更される。左外側音声信号ＬＷと右外側音声信号ＲＷとの組合せが含まれているか否かを判断する処理は、左外側音声信号ＬＷが含まれているか否かを判断する処理に変更される。
【００６１】
次に、本発明のさらに別の実施形態を説明する。図１０は本例の音声処理部５Ｃを示す。なお、本例では、説明を簡単化するために左側のチャンネルについてのみ説明するが、右側のチャンネルについても同様である。プリアウト部１１１は、スイッチＳ１１１ａ〜Ｓ１１１ｆを有する。スイッチＳ１１１ａは、サラウンド後方左音声信号ＳＢＬをアンプ１１２ａに出力するか否かを切り換える。スイッチＳ１１１ｂは、左外側音声信号ＬＷをアンプ１１２ａに出力するか否かを切り換える。スイッチＳ１１１ｃは、左中央側音声信号ＬＣをアンプ１１２ａに出力するか否かを切り換える。スイッチＳ１１１ｄは、左上側音声信号ＬＨをアンプ１１２ｂに出力するか否かを切り換える。スイッチＳ１１１ｅは、左外側音声信号ＬＷをアンプ１１２ｂに出力するか否かを切り換える。スイッチＳ１１１ｆは、左中央側音声信号ＬＣをアンプ１１２ｂに出力するか否かを切り換える。スイッチＳ１１１ａ〜Ｓ１１１ｃの内、マルチチャンネル音声データに含まれているチャンネルに応じて、いずれか１つのスイッチがオン状態とされる。スイッチＳ１１１ｄ〜Ｓ１１１ｆの内、マルチチャンネル音声データに含まれているチャンネルに応じて、いずれか１つのスイッチがオン状態とされる。
【００６２】
なお、プリアウト部１１１がスイッチＳ１１１ａ〜Ｓ１１１ｆを備えるのではなく、マルチチャンネル音声データに含まれるチャンネルに応じて、ＤＳＰがアンプ１１２ａ、１１２ｂに供給する音声信号のチャンネルを変更するようにしてもよい。
【００６３】
パワーアンプ１１２は、アンプ１１２ａ、１１２ｂを有する。アンプ１１２ａは、プリアウト部１１１から供給されるサラウンド後方左音声信号ＳＢＬ、又は、左外側音声信号ＬＷ、又は、左中央側音声信号ＬＣを増幅してＳＰリレー１１３（スイッチＳ１１３ａ、Ｓ１１３ｂ、Ｓ１１３ｄ）に供給する。アンプ１１２ｂは、プリアウト部１１１から供給される左上側音声信号ＬＨ、又は、左外側音声信号ＬＷ、又は、左中央側音声信号ＬＣを増幅してＳＰリレー１１３（スイッチＳ１１３ｃ、Ｓ１１３ｅ、Ｓ１１３ｆ）に供給する。
【００６４】
ＳＰリレー１１３は、リレースイッチ（以下スイッチという。）Ｓ１１３ａ〜Ｓ１１３ｆを有する。スイッチＳ１１３ａは、アンプ１１２ａから供給されるサラウンド後方左音声信号ＳＢＬを、サラウンド後方左ＳＰ端子１１４ａに供給するか否かを切り換える。スイッチＳ１１３ｂは、アンプ１１２ａから供給される左外側音声信号ＬＷを、左外側ＳＰ端子１１４ｂに供給するか否かを切り換える。スイッチＳ１１３ｃは、アンプ１１２ｂから供給される左外側音声信号ＬＷを、左外側ＳＰ端子１１４ｂに供給するか否かを切り換える。スイッチＳ１１３ｄは、アンプ１１２ａから供給される左中央側音声信号ＬＣを、左中央側ＳＰ端子１１４ｃに供給するか否かを切り換える。スイッチＳ１１３ｅは、アンプ１１２ｂから供給される左中央側音声信号ＬＣを、左中央側ＳＰ端子１１４ｃに供給するか否かを切り換える。スイッチＳ１１３ｆは、アンプ１１２ｂから供給される左上側音声信号ＬＨを、左上側ＳＰ端子１１４ｄに供給するか否かを切り換える。スイッチＳ１１３ａ〜Ｓ１１３ｆは、マルチチャンネル音声データに含まれるチャンネルに応じて切換えられる。
【００６５】
ＳＰ端子１１４は、ＳＰ端子１１４ａ〜１１４ｄを有する。サラウンド後方左ＳＰ端子１１４ａにはサラウンド後方左スピーカーＳＳＢＬが接続される。左外側ＳＰ端子１１４ｂには左外側スピーカーＳＬＷが接続される。左中央側ＳＰ端子１１４ｃには左中央側スピーカーＳＬＣが接続される。左上側ＳＰ端子１１４ｄには左上側スピーカーＳＬＨが接続される。
【００６６】
図１１〜図１３は本例の動作を示すフローチャートである。制御部２は、マルチチャンネル音声データにサラウンド後方左音声信号ＳＢＬが含まれているか否かを判断する（Ｓ３１）。含まれている場合（Ｓ３１でＹＥＳ）、制御部２は、サラウンド後方左音声信号ＳＢＬをサラウンド後方左ＳＰ端子１１４ａに供給するように、スイッチを制御する。すなわち、制御部２は、スイッチＳ１１１ａ、Ｓ１１３ａをオン状態に、Ｓ１１１ｂ、Ｓ１１１ｃ、Ｓ１１３ｂ、Ｓ１１３ｄをオフ状態に制御する（Ｓ３２）。
【００６７】
制御部２は、マルチチャンネル音声データに左上側音声信号ＬＨが含まれているか否かを判断する（Ｓ３３）。含まれている場合（Ｓ３３でＹＥＳ）、制御部２は、左上側音声信号ＬＨを左上側ＳＰ端子１１４ｄに供給するように、スイッチを制御する。すなわち、制御部２は、スイッチＳ１１１ｄ、Ｓ１１３ｆをオン状態に、Ｓ１１１ｅ、Ｓ１１１ｆ、Ｓ１１３ｃ、Ｓ１１３ｅをオフ状態に制御する（Ｓ３４）。
【００６８】
含まれていない場合（Ｓ３３でＮＯ）、制御部２は、マルチチャンネル音声データに左外側音声信号ＬＷが含まれているか否かを判断する（Ｓ３５）。含まれている場合（Ｓ３５でＹＥＳ）、制御部２は、左外側音声信号ＬＷを左外側ＳＰ端子１１４ｂに供給するように、スイッチを制御する。すなわち、制御部２は、スイッチＳ１１１ｅ、Ｓ１１３ｃをオン状態に、Ｓ１１１ｄ、Ｓ１１１ｆ、Ｓ１１３ｅ、Ｓ１１３ｆをオフ状態に制御する（Ｓ３６）。
【００６９】
含まれていない場合（Ｓ３５でＮＯ）、制御部２は、マルチチャンネル音声データに左中央側音声信号ＬＣが含まれているか否かを判断する（Ｓ３７）。含まれている場合（Ｓ３７でＹＥＳ）、制御部２は、左中央側音声信号ＬＣを左中央側ＳＰ端子１１４ｃに供給するように、スイッチを制御する。すなわち、制御部２は、スイッチＳ１１１ｆ、Ｓ１１３ｅをオン状態に、Ｓ１１１ｄ、Ｓ１１１ｅ、Ｓ１１３ｃ、Ｓ１１３ｆをオフ状態に制御する（Ｓ３８）。含まれていない場合（Ｓ３７でＮＯ）、制御部２は、スイッチＳ１１１ｄ、Ｓ１１１ｅ、Ｓ１１１ｆ、Ｓ１１３ｃ、Ｓ１１３ｅ、Ｓ１１３ｆをオフ状態に制御する（Ｓ３９）。
【００７０】
Ｓ３１において含まれていないと判断されると（Ｓ３１でＮＯ）、図１２のように、制御部２は、マルチチャンネル音声データに左外側音声信号ＬＷが含まれているか否かを判断する（Ｓ４０）。含まれている場合（Ｓ４０でＹＥＳ）、制御部２は、左外側音声信号ＬＷを左外側ＳＰ端子１１４ｂに供給するように、スイッチを制御する。すなわち、制御部２は、スイッチＳ１１１ｂ、Ｓ１１３ｂをオン状態に、Ｓ１１１ａ、Ｓ１１１ｃ、Ｓ１１３ａ、Ｓ１１３ｄをオフ状態に制御する（Ｓ４１）。
【００７１】
制御部２は、マルチチャンネル音声データに左上側音声信号ＬＨが含まれているか否かを判断する（Ｓ４２）。含まれている場合（Ｓ４２でＹＥＳ）、制御部２は、左上側音声信号ＬＨを左上側ＳＰ端子１１４ｄに供給するように、スイッチを制御する。すなわち、制御部２は、スイッチＳ１１１ｄ、Ｓ１１３ｆをオン状態に、Ｓ１１１ｅ、Ｓ１１１ｆ、Ｓ１１３ｃ、Ｓ１１３ｅをオフ状態に制御する（Ｓ４３）。
【００７２】
含まれていない場合（Ｓ４２でＮＯ）、制御部２は、マルチチャンネル音声データに左中央側音声信号ＬＣが含まれているか否かを判断する（Ｓ４４）。含まれている場合（Ｓ４４でＹＥＳ）、制御部２は、左中央側音声信号ＬＣを左中央側ＳＰ端子１１４ｃに供給するように、スイッチを制御する。すなわち、制御部２は、スイッチＳ１１１ｆ、Ｓ１１３ｅをオン状態に、Ｓ１１１ｄ、Ｓ１１１ｅ、Ｓ１１３ｃ、Ｓ１１３ｆをオフ状態に制御する（Ｓ４５）。含まれていない場合（Ｓ４４でＮＯ）、制御部２は、スイッチＳ１１１ｄ、Ｓ１１１ｅ、Ｓ１１１ｆ、Ｓ１１３ｃ、Ｓ１１３ｅ、Ｓ１１３ｆをオフ状態に制御する（Ｓ４６）。
【００７３】
Ｓ４０において含まれていないと判断されると（Ｓ４０でＮＯ）、図１３のように、制御部２は、マルチチャンネル音声データに左中央側音声信号ＬＣが含まれているか否かを判断する（Ｓ４７）。含まれている場合（Ｓ４７でＹＥＳ）、制御部２は、左中央側音声信号ＬＣを左中央側ＳＰ端子１１４ｃに供給するように、スイッチを制御する。すなわち、制御部２は、スイッチＳ１１１ｃ、Ｓ１１３ｄをオン状態に、Ｓ１１１ａ、Ｓ１１１ｂ、Ｓ１１３ａ、Ｓ１１３ｂをオフ状態に制御する（Ｓ４８）。含まれていない場合（Ｓ４７でＮＯ）、制御部２は、スイッチＳ１１１ａ、Ｓ１１１ｂ、Ｓ１１１ｃ、Ｓ１１３ａ、Ｓ１１３ｂ、Ｓ１１３ｄをオフ状態に制御する（Ｓ４９）。
【００７４】
制御部２は、マルチチャンネル音声データに左上側音声信号ＬＨが含まれているか否かを判断する（Ｓ５０）。含まれている場合（Ｓ５０でＹＥＳ）、制御部２は、左上側音声信号ＬＨを左上側ＳＰ端子１１４ｄに供給するように、スイッチを制御する。すなわち、制御部２は、スイッチＳ１１１ｄ、Ｓ１１３ｆをオン状態に、Ｓ１１１ｅ、Ｓ１１１ｆ、Ｓ１１３ｃ、Ｓ１１３ｅをオフ状態に制御する（Ｓ５１）。含まれていない場合（Ｓ５０でＮＯ）、制御部２は、スイッチＳ１１１ｄ、Ｓ１１１ｅ、Ｓ１１１ｆ、Ｓ１１３ｃ、Ｓ１１３ｅ、Ｓ１１３ｆをオフ状態に制御する（Ｓ５２）。
【００７５】
次に、本発明のさらに別の実施形態を説明する。図１４は本例の音声処理部５Ｄを示す。なお、本例では、説明を簡単化するために左側のチャンネルについてのみ説明するが、右側のチャンネルについても同様である。プリアウト部２１１は、スイッチＳ２１１ａ〜Ｓ２１１ｆを有する。スイッチＳ２１１ａは、サラウンド後方左音声信号ＳＢＬをアンプ２１２ａに出力するか否かを切り換える。スイッチＳ２１１ｂは、左中央側音声信号ＬＣをアンプ２１２ａに出力するか否かを切り換える。スイッチＳ２１１ｃは、左外側音声信号ＬＷをアンプ２１２ｂに出力するか否かを切り換える。スイッチＳ２１１ｄは、左中央側音声信号ＬＣをアンプ２１２ｂに出力するか否かを切り換える。スイッチＳ２１１ｅは、左上側音声信号ＬＨをアンプ２１２ｃに出力するか否かを切り換える。スイッチＳ２１１ｆは、左中央側音声信号ＬＣをアンプ２１２ｃに出力するか否かを切り換える。
【００７６】
なお、プリアウト部２１１がスイッチＳ２１１ａ〜Ｓ２１１ｆを備えるのではなく、マルチチャンネル音声データに含まれるチャンネルに応じて、ＤＳＰがアンプ２１２ａ〜２１２ｃに供給する音声信号のチャンネルを変更するようにしてもよい。
【００７７】
パワーアンプ２１２は、アンプ２１２ａ、２１２ｂ、２１２ｃを有する。アンプ２１２ａは、プリアウト部２１１から供給されるサラウンド後方左音声信号ＳＢＬ、又は、左中央側音声信号ＬＣを増幅してＳＰリレー２１３（スイッチＳ２１３ａ、Ｓ２１３ｃ）に供給する。アンプ２１２ｂは、プリアウト部２１１から供給される左外側音声信号ＬＷ、又は、左中央側音声信号ＬＣを増幅してＳＰリレー２１３（スイッチＳ２１３ｂ、Ｓ２１３ｄ）に供給する。アンプ２１２ｃは、プリアウト部２１１から供給される左上側音声信号ＬＨ、又は、左中央側音声信号ＬＣを増幅してＳＰリレー２１３（スイッチＳ２１３ｅ、Ｓ２１３ｆ）に供給する。
【００７８】
ＳＰリレー２１３は、リレースイッチ（以下スイッチという。）Ｓ２１３ａ〜Ｓ２１３ｆを有する。スイッチＳ２１３ａは、アンプ２１２ａから供給されるサラウンド後方左音声信号ＳＢＬを、サラウンド後方左ＳＰ端子２１４ａに供給するか否かを切り換える。スイッチＳ２１３ｂは、アンプ２１２ｂから供給される左外側音声信号ＬＷを、左外側ＳＰ端子２１４ｂに供給するか否かを切り換える。スイッチＳ２１３ｃは、アンプ２１２ａから供給される左中央側音声信号ＬＣを、左中央側ＳＰ端子２１４ｃに供給するか否かを切り換える。スイッチＳ２１３ｄは、アンプ２１２ｂから供給される左中央側音声信号ＬＣを、左中央側ＳＰ端子２１４ｃに供給するか否かを切り換える。スイッチＳ２１３ｅは、アンプ２１２ｃから供給される左中央側音声信号ＬＣを、左中央側ＳＰ端子２１４ｃに供給するか否かを切り換える。スイッチＳ２１３ｆは、アンプ２１２ｃから供給される左上側音声信号ＬＨを、左上側ＳＰ端子２１４ｄに供給するか否かを切り換える。
【００７９】
図１５〜図１７は本例の動作を示すフローチャートである。制御部２は、マルチチャンネル音声データにサラウンド後方左音声信号ＳＢＬが含まれているか否かを判断する（Ｓ６１）。含まれている場合（Ｓ６１でＹＥＳ）、制御部２は、サラウンド後方左音声信号ＳＢＬをサラウンド後方左ＳＰ端子２１４ａに供給するように、スイッチを制御する。すなわち、制御部２は、スイッチＳ２１１ａ、Ｓ２１３ａをオン状態に、Ｓ２１１ｂ、Ｓ２１３ｃをオフ状態に制御する（Ｓ６２）。
【００８０】
制御部２は、マルチチャンネル音声データに左外側音声信号ＬＷが含まれているか否かを判断する（Ｓ６３）。含まれている場合（Ｓ６３でＹＥＳ）、制御部２は、左外側音声信号ＬＷを左外側ＳＰ端子２１４ｂに供給するように、スイッチを制御する。すなわち、制御部２は、スイッチＳ２１１ｃ、Ｓ２１３ｂをオン状態に、Ｓ２１１ｄ、Ｓ２１３ｄをオフ状態に制御する（Ｓ６４）。
【００８１】
制御部２は、マルチチャンネル音声データに左上側音声信号ＬＨが含まれているか否かを判断する（Ｓ６５）。含まれている場合（Ｓ６５でＹＥＳ）、制御部２は、左上側音声信号ＬＨを左上側ＳＰ端子２１４ｄに供給するように、スイッチを制御する。すなわち、制御部２は、スイッチＳ２１１ｅ、Ｓ２１３ｆをオン状態に、Ｓ２１１ｆ、Ｓ２１３ｅをオフ状態に制御する（Ｓ６６）。
【００８２】
含まれていない場合（Ｓ６５でＮＯ）、制御部２は、マルチチャンネル音声データに左中央側音声信号ＬＣが含まれているか否かを判断する（Ｓ６７）。含まれている場合（Ｓ６７でＹＥＳ）、制御部２は、左中央側音声信号ＬＣを左中央側ＳＰ端子２１４ｃに供給するように、スイッチを制御する。すなわち、制御部２は、スイッチＳ２１１ｆ、Ｓ２１３ｅをオン状態に、Ｓ２１１ｅ、Ｓ２１３ｆをオフ状態に制御する（Ｓ６８）。含まれていない場合（Ｓ６７でＮＯ）、制御部２は、スイッチＳ２１１ｅ、Ｓ２１１ｆ、Ｓ２１３ｅ、Ｓ２１３ｆをオフ状態に制御する（Ｓ６９）。
【００８３】
Ｓ６１で含まれていないと判断された場合（Ｓ６１でＮＯ）、図１６のように、制御部２は、マルチチャンネル音声データに左中央側音声信号ＬＣが含まれているか否かを判断する（Ｓ７０）。含まれている場合（Ｓ７０でＹＥＳ）、制御部２は、左中央側音声信号ＬＣを左中央側ＳＰ端子２１４ｃに供給するように、スイッチを制御する。すなわち、制御部２は、スイッチＳ２１１ｂ、Ｓ２１３ｃをオン状態に、Ｓ２１１ａ、Ｓ２１３ａをオフ状態に制御する（Ｓ７１）。一方、含まれていない場合（Ｓ７０でＮＯ）、制御部２は、スイッチＳ２１１ａ、Ｓ２１１ｂ、Ｓ２１３ａ、Ｓ２１３ｃをオフ状態に制御する（Ｓ７２）。
【００８４】
制御部２は、マルチチャンネル音声データに左外側音声信号ＬＷが含まれているか否かを判断する（Ｓ７３）。含まれている場合（Ｓ７３でＹＥＳ）、制御部２は、左外側音声信号ＬＷを左外側ＳＰ端子２１４ｂに供給するように、スイッチを制御する。すなわち、制御部２は、スイッチＳ２１１ｃ、Ｓ２１３ｂをオン状態に、Ｓ２１１ｄ、Ｓ２１３ｄをオフ状態に制御する（Ｓ７４）。含まれていない場合（Ｓ７３でＮＯ）、制御部２は、スイッチＳ２１１ｃ、Ｓ２１１ｄ、Ｓ２１３ｂ、Ｓ２１３ｄをオフ状態に制御する（Ｓ７５）。
【００８５】
制御部２は、マルチチャンネル音声データに左上側音声信号ＬＨが含まれているか否かを判断する（Ｓ７６）。含まれている場合（Ｓ７６でＹＥＳ）、制御部２は、左上側音声信号ＬＨを左上側ＳＰ端子２１４ｄに供給するように、スイッチを制御する。すなわち、制御部２は、スイッチＳ２１１ｅ、Ｓ２１３ｆをオン状態に、Ｓ２１１ｆ、Ｓ２１３ｅをオフ状態に制御する（Ｓ７７）。含まれていない場合（Ｓ７６でＮＯ）、制御部２は、スイッチＳ２１１ｅ、Ｓ２１１ｆ、Ｓ２１３ｅ、Ｓ２１３ｆをオフ状態に制御する（Ｓ７８）。
【００８６】
Ｓ６３で含まれていないと判断された場合（Ｓ６３でＮＯ）、図１７のように、制御部２は、マルチチャンネル音声データに左中央側音声信号ＬＣが含まれているか否かを判断する（Ｓ７９）。含まれている場合（Ｓ７９でＹＥＳ）、制御部２は、左中央側音声信号ＬＣを左中央側ＳＰ端子２１４ｃに供給するように、スイッチを制御する。すなわち、制御部２は、スイッチＳ２１１ｄ、Ｓ２１３ｄをオン状態に、Ｓ２１１ｃ、Ｓ２１３ｂをオフ状態に制御する（Ｓ８０）。一方、含まれていない場合（Ｓ７９でＮＯ）、制御部２は、スイッチＳ２１１ｃ、Ｓ２１１ｄ、Ｓ２１３ｂ、Ｓ２１３ｄをオフ状態に制御する（Ｓ８１）。
【００８７】
制御部２は、マルチチャンネル音声データに左上側音声信号ＬＨが含まれているか否かを判断する（Ｓ８２）。含まれている場合（Ｓ８２でＹＥＳ）、制御部２は、左上側音声信号ＬＨを左上側ＳＰ端子２１４ｄに供給するように、スイッチを制御する。すなわち、制御部２は、スイッチＳ２１１ｅ、Ｓ２１３ｆをオン状態に、Ｓ２１１ｆ、Ｓ２１３ｅをオフ状態に制御する（Ｓ８３）。含まれていない場合（Ｓ８２でＮＯ）、制御部２は、スイッチＳ２１１ｅ、Ｓ２１１ｆ、Ｓ２１３ｅ、Ｓ２１３ｆをオフ状態に制御する（Ｓ８４）。
【００８８】
次に、本発明のさらに別の実施形態を説明する。図１８は本例の音声処理部５Ｅを示す。なお、本例では、説明を簡単化するために左側のチャンネルについてのみ説明するが、右側のチャンネルについても同様である。本例では、図４の実施例と比較して、音声処理部５Ｅは、左外側音声信号ＬＷをアンプ１２ａまたはアンプ１２ｂに供給する前の段階でＡＶアンプ１の外部に出力するためのプリアウト端子１５をさらに備える。マルチチャンネル音声データに、サラウンド後方左音声信号ＳＢＬ、左外側音声信号ＬＷ、左上側音声信号ＬＨの全てが含まれる場合、図５、図６の処理によって、サラウンド後方左音声信号ＳＢＬはアンプ１２ａで増幅され、サラウンド後方左ＳＰ端子１４ａに供給され、左上側音声信号ＬＨはアンプ１２ｂで増幅され、左上側ＳＰ端子１４ｃに供給される。この場合、左外側音声信号ＬＷは、プリアウト端子１５から出力される。プリアウト端子１５にＡＶアンプ１とは異なるアンプを接続することによって、他のアンプを使用して左外側音声信号ＬＷを増幅して、スピーカーから音声を出力できる。処理としては、図５のＳ４の後に、マルチチャンネル音声データに左外側音声信号ＬＷが含まれているか否かが判断され、含まれている場合には左外側音声信号ＬＷがプリアウト端子１５から出力されるように制御され、含まれていない場合には左外側音声信号ＬＷがプリアウト端子１５から出力されないように制御される。
【００８９】
次に、本発明のさらに別の実施形態を説明する。図１９は本例の音声処理部５Ｆを示す。なお、本例では、説明を簡単化するために左側のチャンネルについてのみ説明するが、右側のチャンネルについても同様である。本例では、図１０の実施例と比較して、音声処理部５Ｆは、左外側音声信号ＬＷをアンプ１１２ａ、１１２ｂに供給する前の段階でＡＶアンプ１の外部に出力するためのプリアウト端子４１５と、左中央側音声信号ＬＣをアンプ１１２ａ、１１２ｂに供給する前の段階でＡＶアンプ１の外部に出力するためのプリアウト端子４１６とをさらに備える。マルチチャンネル音声データに、サラウンド後方左音声信号ＳＢＬ、左外側音声信号ＬＷ、左上側音声信号ＬＨが含まれる場合、図１１〜図１３の処理によって、サラウンド後方左音声信号ＳＢＬはアンプ１１２ａで増幅され、サラウンド後方左ＳＰ端子１１４ａに供給され、左上側音声信号ＬＨはアンプ１１２ｂで増幅され、左上側ＳＰ端子１１４ｄに供給される。この場合、左外側音声信号ＬＷは、プリアウト端子４１５から出力される。プリアウト端子４１５にＡＶアンプ１とは異なるアンプを接続することによって、他のアンプを使用して左外側音声信号ＬＷを増幅して、スピーカーから音声を出力できる。
【００９０】
マルチチャンネル音声データに、サラウンド後方左音声信号ＳＢＬ、左上側音声信号ＬＨ、左中央側音声信号ＬＣが含まれる場合、図１１〜図１３の処理によって、サラウンド後方左音声信号ＳＢＬはアンプ１１２ａで増幅され、サラウンド後方左ＳＰ端子１１４ａに供給され、左上側音声信号ＬＨはアンプ１１２ｂで増幅され、左上側ＳＰ端子１１４ｄに供給される。この場合、左中央側音声信号ＬＣは、プリアウト端子４１６から出力される。プリアウト端子４１６にＡＶアンプ１とは異なるアンプを接続することによって、他のアンプを使用して左中央側音声信号ＬＣを増幅して、スピーカーから音声を出力できる。
【００９１】
マルチチャンネル音声データに、サラウンド後方左音声信号ＳＢＬ、左外側音声信号ＬＷ、左上側音声信号ＬＨ、左中央側音声信号ＬＣが含まれる場合、図１１〜図１３の処理によって、サラウンド後方左音声信号ＳＢＬはアンプ１１２ａで増幅され、サラウンド後方左ＳＰ端子１１４ａに供給され、左上側音声信号ＬＨはアンプ１１２ｂで増幅され、左上側ＳＰ端子１１４ｄに供給される。この場合、左外側音声信号ＬＷは、プリアウト端子４１５から出力され、左中央側音声信号ＬＣは、プリアウト端子４１６から出力される。プリアウト端子４１５、４１６にＡＶアンプ１とは異なるアンプを接続することによって、他のアンプを使用して左外側音声信号ＬＷ、左中央側音声信号ＬＣを増幅して、スピーカーから音声を出力できる。
【００９２】
次に、本発明のさらに別の実施形態を説明する。図２０は本例の音声処理部５Ｇを示す。なお、本例では、説明を簡単化するために左側のチャンネルについてのみ説明するが、右側のチャンネルについても同様である。本例では、図１４の実施例と比較して、音声処理部５は、左中央側音声信号ＬＣをアンプ２１２ａ、２１２ｂ又は２１２Ｃに供給する前の段階でＡＶアンプ１の外部に出力するためのプリアウト端子５１６をさらに備える。マルチチャンネル音声データに、サラウンド後方左音声信号ＳＢＬ、左外側音声信号ＬＷ、左上側音声信号ＬＨ、左中央側音声信号ＬＣが含まれる場合、図１５〜図１７の処理によって、サラウンド後方左音声信号ＳＢＬはアンプ２１２ａで増幅され、サラウンド後方左ＳＰ端子２１４ａに供給され、左外側音声信号ＬＷはアンプ２１２ｂで増幅され、左外側ＳＰ端子２１４ｂに供給され、左上側音声信号ＬＨはアンプ２１２ｃで増幅され、左上側ＳＰ端子２１４ｄに供給される。この場合、左中央側音声信号ＬＣは、プリアウト端子５１６から出力される。プリアウト端子５１６にＡＶアンプ１とは異なるアンプを接続することによって、他のアンプを使用して左中央側音声信号ＬＣを増幅して、スピーカーから音声を出力できる。
【００９３】
以上、本発明の好ましい実施形態を説明したが、本発明はこれらの実施形態には限定されない。ＡＶアンプの上記動作をコンピュータに実行させるためのプログラムおよびこれを記録した記録媒体という形態で提供されてもよい。
【産業上の利用可能性】
【００９４】
本発明は、ＡＶアンプ等に好適に採用され得る。
【符号の説明】
【００９５】
１            ＡＶアンプ
２            制御部
５            音声処理部
７            表示部
１１            プリアウト部
１２            パワーアンプ
１３            ＳＰリレー
１４            ＳＰ端子
【図１】
2011229113.tif 000003
【図２】
2011229113.tif 000004
【図３】
2011229113.tif 000005
【図４】
2011229113.tif 000006
【図５】
2011229113.tif 000007
【図６】
2011229113.tif 000008
【図７】
2011229113.tif 000009
【図８】
2011229113.tif 000010
【図９】
2011229113.tif 000011
【図１０】
2011229113.tif 000012
【図１１】
2011229113.tif 000013
【図１２】
2011229113.tif 000014
【図１３】
2011229113.tif 000015
【図１４】
2011229113.tif 000016
【図１５】
2011229113.tif 000017
【図１６】
2011229113.tif 000018
【図１７】
2011229113.tif 000019
【図１８】
2011229113.tif 000020
【図１９】
2011229113.tif 000021
【図２０】
2011229113.tif 000022
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
第１拡張左音声信号又は第１拡張右音声信号である第１拡張音声信号、あるいは、第２拡張左音声信号又は第２拡張右音声信号である第２拡張音声信号を増幅する第１増幅部と、
第２拡張音声信号、あるいは、第３拡張左音声信号又は第３拡張右音声信号である第３拡張音声信号を増幅する第２増幅部と、
第１拡張音声信号を出力する第１スピーカー端子と、
第２拡張音声信号を出力する第２スピーカー端子と、
第３拡張音声信号を出力する第３スピーカー端子と、
前記第１増幅部からの第１拡張音声信号を前記第１スピーカー端子に供給するか否かを切換える第１スイッチと、
前記第１増幅部からの第２拡張音声信号を前記第２スピーカー端子に供給するか否かを切換える第２スイッチと、
前記第２増幅部からの第２拡張音声信号を前記第２スピーカー端子に供給するか否かを切換える第３スイッチと、
前記第２増幅部からの第３拡張音声信号を前記第３スピーカー端子に供給するか否かを切換える第４スイッチと、
マルチチャンネル音声データに、第１拡張音声信号、第２拡張音声信号、又は、第３拡張音声信号のいずれが含まれているかを判断するチャンネル判断部と、
第１拡張音声信号が含まれていると判断された場合、前記第１スイッチに前記第１増幅部によって増幅された第１拡張音声信号を前記第１スピーカー端子に供給させ、第２拡張音声信号が含まれていると判断された場合、前記第２スイッチに前記第１増幅部によって増幅された第２拡張音声信号を前記第２スピーカー端子に供給させ、又は、前記第３スイッチに前記第２増幅部によって増幅された第２拡張音声信号を前記第２スピーカー端子に供給させ、第３拡張音声信号が含まれていると判断された場合、前記第４スイッチに前記第２増幅部によって増幅された第３拡張音声信号を前記第３スピーカー端子に供給させる切換制御部とを備える、音声処理装置。
【請求項２】
前記第１拡張左音声信号が、サラウンド後方左音声信号、左外側音声信号、左上側音声信号及び左中央側音声信号のいずれかであり、前記第１拡張右音声信号が、サラウンド後方右音声信号、右外側音声信号、右上側音声信号及び右中央側音声信号のいずれかであり、
前記第２拡張左音声信号が、サラウンド後方左音声信号、左外側音声信号、左上側音声信号及び左中央側音声信号のいずれかであり、かつ、前記第１拡張左音声信号とは異なり、前記第２拡張右音声信号が、サラウンド後方右音声信号、右外側音声信号、右上側音声信号及び右中央側音声信号のいずれかであり、かつ、前記第１拡張右音声信号とは異なり、
前記第３拡張左音声信号が、サラウンド後方左音声信号、左外側音声信号、左上側音声信号及び左中央側音声信号のいずれかであり、かつ、前記第１拡張左音声信号および前記第２拡張左音声信号とは異なり、前記第３拡張右音声信号が、サラウンド後方右音声信号、右外側音声信号、右上側音声信号及び右中央側音声信号のいずれかであり、かつ、前記第１拡張右音声信号および前記第２拡張右音声信号とは異なる、請求項１に記載の音声処理装置。
【請求項３】
前記切換制御部が、第１拡張音声信号が含まれておらず、かつ、第２拡張音声信号が含まれていると判断された場合、前記第２スイッチに前記第１増幅部によって増幅された第２拡張音声信号を前記第２スピーカー端子に供給させ、第１拡張音声信号が含まれており、かつ、第２拡張音声信号が含まれていると判断された場合、前記第３スイッチに前記第２増幅部によって増幅された第２拡張音声信号を前記第２スピーカー端子に供給させる、請求項１または２に記載の音声処理装置。
【請求項４】
第１拡張音声信号と第２拡張音声信号とが含まれていると判断された場合、前記切換制御部が、前記第１スイッチに前記第１増幅部によって増幅された第１拡張音声信号を前記第１スピーカー端子に供給させ、前記第３スイッチに前記第２増幅部によって増幅された第２拡張音声信号を前記第２スピーカー端子に供給させ、
第１拡張音声信号と第３拡張音声信号とが含まれていると判断された場合、前記切換制御部が、前記第１スイッチに前記第１増幅部によって増幅された第１拡張音声信号を前記第１スピーカー端子に供給させ、前記第４スイッチに前記第２増幅部によって増幅された第３拡張音声信号を前記第３スピーカー端子に供給させ、
第２拡張音声信号と第３拡張音声信号とが含まれていると判断された場合、前記切換制御部が、前記第２スイッチに前記第１増幅部によって増幅された第２拡張音声信号を前記第２スピーカー端子に供給させ、前記第４スイッチに前記第２増幅部によって増幅された第３拡張音声信号を前記第３スピーカー端子に供給させる、請求項１または２に記載の音声処理装置。
【請求項５】
第１拡張音声信号と第２拡張音声信号と第３拡張音声信号とが含まれていると判断された場合、ユーザ操作によって予め設定された２つの音声信号をそれぞれ対応するスピーカー端子に供給するように前記切換制御部が動作する、請求項１〜４のいずれかに記載の音声処理装置。
【請求項６】
前記第１増幅部が、第１拡張音声信号、あるいは、第２拡張音声信号、あるいは、第４拡張左音声信号又は第４拡張右音声信号である第４拡張音声信号を増幅し、
前記第２増幅部が、第２拡張音声信号、あるいは、第３拡張音声信号、あるいは、第４拡張音声信号を増幅し、
第４拡張音声信号を出力する第４スピーカー端子と、
前記第１増幅部からの第４拡張音声信号を前記第４スピーカー端子に供給するか否かを切換える第５スイッチと、
前記第２増幅部からの第４拡張音声信号を前記第４スピーカー端子に供給するか否かを切換える第６スイッチと、をさらに備え、
前記チャンネル判断部が、マルチチャンネル音声データに第４拡張音声信号が含まれているかをさらに判断し、
前記切換制御部が、第４拡張音声信号が含まれていると判断された場合、前記第５スイッチに前記第１増幅部によって増幅された第４拡張音声信号を前記第４スピーカー端子に供給させ、又は、前記第６スイッチに前記第２増幅部によって増幅された第４拡張音声信号を前記第４スピーカー端子に供給させる、請求項１または２に記載の音声処理装置。
【請求項７】
第２拡張音声信号を前記第１増幅部または前記第２増幅部に供給する前の段階で出力するプリアウト端子をさらに備え、
第１拡張音声信号と第２拡張音声信号と第３拡張音声信号とが含まれていると判断された場合、前記切換制御部が、前記第１スイッチに前記第１増幅部によって増幅された第１拡張音声信号を前記第１スピーカー端子に供給させ、前記第４スイッチに前記第２増幅部によって増幅された第３拡張音声信号を前記第３スピーカー端子に供給させ、第２拡張音声信号を前記プリアウト端子から出力させる、請求項１〜６のいずれかに記載の音声処理装置。
【請求項８】
第２拡張音声信号を前記第１増幅部または前記第２増幅部に供給する前の段階で出力する第１プリアウト端子と、
第４拡張音声信号を前記第１増幅部または前記第２増幅部に供給する前の段階で出力する第２プリアウト端子とをさらに備え、
第１拡張音声信号と第２拡張音声信号と第３拡張音声信号と第４拡張音声信号とが含まれていると判断された場合、前記切換制御部が、前記第１スイッチに前記第１増幅部によって増幅された第１拡張音声信号を前記第１スピーカー端子に供給させ、前記第４スイッチに前記第２増幅部によって増幅された第３拡張音声信号を前記第３スピーカー端子に供給させ、第２拡張音声信号を前記第１プリアウト端子から出力させ、第４拡張音声信号を前記第２プリアウト端子から出力させる、請求項６に記載の音声処理装置。
【請求項９】
第２拡張音声信号、あるいは、第４拡張左音声信号又は第４拡張右音声信号である第４拡張音声信号を増幅する第３増幅部と、
第４拡張音声信号を出力する第４スピーカー端子と、
前記第３増幅部からの第２拡張音声信号を前記第２スピーカー端子に供給するか否かを切換える第５スイッチと、
前記第３増幅部からの第４拡張音声信号を前記第４スピーカー端子に供給するか否かを切換える第６スイッチと、をさらに備え、
前記チャンネル判断部が、マルチチャンネル音声データに第４拡張音声信号が含まれているかをさらに判断し、
前記切換制御部が、第２拡張音声信号が含まれていると判断された場合、前記第２スイッチに前記第１増幅部によって増幅された第２拡張音声信号を前記第２スピーカー端子に供給させ、又は、前記第３スイッチに前記第２増幅部によって増幅された第２拡張音声信号を前記第２スピーカー端子に供給させ、又は、前記第５スイッチに前記第３増幅部によって増幅された第２拡張音声信号を前記第２スピーカー端子に供給させ、第４拡張音声信号が含まれていると判断された場合、前記第６スイッチに前記第３増幅部によって増幅された第４拡張音声信号を前記第４スピーカー端子に供給させる、請求項１または２に記載の音声処理装置。
【請求項１０】
第２拡張音声信号を前記第１増幅部又は前記第２増幅部又は前記第３増幅部に供給する前の段階で出力するプリアウト端子をさらに備え、
第１拡張音声信号と第２拡張音声信号と第３拡張音声信号と第４拡張音声信号とが含まれていると判断された場合、前記切換制御部が、前記第１スイッチに前記第１増幅部によって増幅された第１拡張音声信号を前記第１スピーカー端子に供給させ、前記第４スイッチに前記第２増幅部によって増幅された第３拡張音声信号を前記第３スピーカー端子に供給させ、前記第６スイッチに前記第３増幅部によって増幅された第４拡張音声信号を前記第４スピーカー端子に供給させ、第２拡張音声信号を前記プリアウト端子から出力させる、請求項９に記載の音声処理装置。